(57)【要約】【課題】  任意の状態に受像機を支持することが可能な支持脚部を有する受像機であり、また、受像機を支持装置に取り付けた際には取手部分として機能する支持脚部を有する受像機を提供する。【解決手段】  筐体１２と、筐体１２の正面側に配設された表示画面１４と、筐体１２の背面側に設けられ、載置箇所に対して表示画面１４が所要の設置角度をなすように筐体１２を支持する支持脚部２０とを具備する受像機１０であって、支持脚部２０は筐体１２の背面側に基部２０ａにおいて上下方向に回動自在に取り付けられ、先端部が接地部１８に形成されて、載置箇所に対する表示画面１４の設置角度が任意の傾斜角度に設定可能に設けられていることを特徴とする受像機１０である。【選択図】        図２
2005210149.tif 000002
【特許請求の範囲】
【請求項１】
筐体と、前記筐体の正面側に配設された表示画面と、前記筐体の背面側に設けられ、載置面に対して前記表示画面が所要の設置角度をなすように前記筐体を支持する支持脚部とを具備する受像機であって、
前記支持脚部は前記筐体の背面側に基部において上下方向に回動自在に取り付けられ、先端部が接地部に形成されて、載置面に対する前記表示画面の設置角度が任意の傾斜角度に設定可能に設けられていることを特徴とする受像機。
【請求項２】
前記支持脚部は側面形状において、前記基部側の先端に、前記筐体の前記基部側を前記筐体の下半部に沿わせた場合に、前記基部側よりも先端側の部分が前記筐体の背面から一端離れる方向に屈曲した後、反対側である前記筐体の下面側に接近する方向に屈曲していることを特徴とする請求項1記載の受像機。
【請求項３】
前記支持脚部は、前記基部側が前記筐体に対して後方側に所要角度に傾斜して起立する位置で固定可能であると共に、
前記基部側を前記筐体の背面の上半部に沿わせた際には、載置面に対して前記表示画面を斜め上向き状態で支持可能であることを特徴とする請求項１または２に記載の受像機。
【請求項４】
前記接地部は前記支持脚部の幅に対して幅広に形成されていることを特徴とする請求項１〜３のうちのいずれか１項記載の受像機。
【請求項５】
前記接地部には把持孔が形成されていることを特徴とする請求項１〜４のうちのいずれか１項記載の受像機。
【請求項６】
前記支持脚部を、前記基部側が前記筐体の背面側下半部に沿うように回動した際、
前記把持孔が前記筐体の下面側下方にくることを特徴とする請求項５項記載の受像機。
【請求項７】
前記支持脚部を、前記基部側が前記筐体の背面側下半部に沿うように回動して、前記把持孔が上方を向くように上下反転して吊り下げた際、重心を通る鉛直線が前記把持孔を通るように設定されていることを特徴とする請求項６記載の受像機。
【請求項８】
前記筐体の下面には照明手段が配設されていることを特徴とする請求項１〜７のうちのいずれか１項記載の受像機。                                                      
【発明の詳細な説明】
【技術分野】
【０００１】
本発明はテレビやモニタ等といった受像機に関し、より詳細には、受像機の載置面に対して表示画面の傾斜状態を複数パターンに設定可能にすると共に、受像機を持ち運びする際や、受像機を他の支持装置に取り付けて用いる際には、取手としても機能する支持脚部を有する受像機に関する。
【背景技術】
【０００２】
従来、病院等の医療機関においては、入院患者の数少ない娯楽手段としてテレビが視聴できるように、患者一人に対して一台の割合でテレビ受像機がベッド脇に配設されている。テレビの視聴は寝たままでも可能であるため、体への負担も少なく、入院患者にとっては、非常に重宝な娯楽手段であった。
ところが、入院患者がベッドの上でテレビを視聴しようとする際には、体を横に向けてテレビを見なければならず、思いがけず体に負担がかかってしまうことがある。
近年においては、特許文献１に示すように、ベッドに寝たままの状態であってもテレビ視聴が可能なモニタ装置の自在支持装置が提供されている。
【特許文献１】特開２０００−１６５７７８号公報
【発明の開示】
【発明が解決しようとする課題】
【０００３】
特許文献１に記載のモニタ装置の自在支持装置は、垂直方向の支持部材と、支持部材に接続される第１、第２のアームとにより構成されている。具体的な使用形態は、第１のアームの先端に軽量なＬＣＤが取り付けられ、また、第１のアームの重心位置に第２のアームの先端が取り付けられ、さらには、第２のアームの重心位置に支持部材を取り付けることによりなっている。また、第１、第２のアームの後端部のそれぞれにはカウンターウエイトが配設されているので、安定したモニタ装置の自在支持装置とすることができるため、入院患者用のテレビ装置等として好適に用いられていた。
また、近年においては、医師が患者に治療方法等を説明するインフォームドコンセントが行われるようになり、この際に簡単に分かりやすく説明をするためにコンピュータに接続されたモニタを特許文献１に記載されているモニタ装置支持装置に取り付けて用いられるようにもなってきている。
【０００４】
ところが、特許文献１に記載のモニタ装置支持装置に取り付けられたモニタには、取手となる部分が無く、モニタ本体の側面や下面を掴んで所望の方向、高さ位置に調節しなければならず、掴み方を誤るとモニタの画面表示部が損傷してしまうといった課題がある。
また、モニタ支持装置に取り付けられているモニタを取り外してしまえば、モニタを支持する支持装置がなくなってしまうため、通常のＬＣＤモニタのように自立させて使用することができなくなり、使用形態に制限が生じるといった課題もある。
【０００５】
そこで、本発明は、任意の状態に受像機を支持することが可能な支持脚部を有する受像機であり、また、受像機を支持装置に取り付けた際には取手部分として機能する支持脚部を有する受像機の提供を目的としている。
【課題を解決するための手段】
【０００６】
本発明は、筐体と、前記筐体の正面側に配設された表示画面と、前記筐体の背面側に設けられ、載置面に対して前記表示画面が所要の設置角度をなすように前記筐体を支持する支持脚部とを具備する受像機であって、前記支持脚部は前記筐体の背面側に基部において上下方向に回動自在に取り付けられ、先端部が接地部に形成されて、載置面に対する前記表示画面の設置角度が任意の傾斜角度に設定可能に設けられていることを特徴とする受像機である。
【０００７】
また、前記支持脚部は側面形状において、前記基部側の先端に、前記筐体の前記基部側を前記筐体の下半部に沿わせた場合に、前記基部側よりも先端側の部分が前記筐体の背面から一端離れる方向に屈曲した後、反対側である前記筐体の下面側に接近する方向に屈曲していることを特徴とする。これにより、受像機を安定して自立させることができると共に、受像機を支持装置に取り付けした際においては、支持脚部を取手部分として使用することができる。すなわち、受像機を移動させる際に、受像機の表示画面を持つことがなくなるので、受像機の画面の損傷を防止することができる。
【０００８】
さらに、前記支持脚部は、前記基部側が前記筐体に対して後方側に所要角度に傾斜して起立する位置で固定可能であると共に、前記基部側を前記筐体の背面の上半部に沿わせた際には、載置面に対して前記表示画面を斜め上向き状態で支持可能であることを特徴とする。これにより、受像機を載置面に対して所要角度に傾斜させて自立させて使用する形態や、受像機を載置面に寝かせた状態で、表示画面を上向きにして好みの角度位置により用いることが可能になる。
【０００９】
また、前記接地部は前記支持脚部の幅に対して幅広に形成されていることを特徴とする。これにより、受像機を自立させた際に、安定した接地部とすることができる。
さらにまた、前記接地部には把持孔が形成されていることを特徴とする。これにより、受像機の表示位置移動や持ち運びが容易になる。
【００１０】
また、前記支持脚部を、前記基部側が前記筐体の背面側下半部に沿うように回動した際、前記把持孔が前記筐体の下面側下方にくることを特徴とする。これにより、受像機の表示位置の移動がさらに容易に行うことができる。
さらに、前記支持脚部を、前記基部側が前記筐体の背面側下半部に沿うように回動して、前記把持孔が上方を向くように上下反転して吊り下げた際、重心を通る鉛直線が前記把持孔を通るように設定されていることを特徴とする。これにより、受像機を支持装置から取り外して持ち運ぶ際に安定させて運搬することができる。
さらにまた、前記筐体の下面には照明手段が配設されていることを特徴とする。これにより、ベッドの読書灯としての利用もができ、入院生活において消灯時間後であっても他人に迷惑をけることなく読書することが可能になる。
【発明の効果】
【００１１】
本発明にかかる受像機によれば、受像機を任意の位置に支持することが可能になるため、受像機の使い勝手が大幅に向上する。また、支持脚部が基部側から接地部にかけて略Ｌ字状に形成されているので、受像機を自立させた状態で設置する際に、安定して自立させることができる。さらには、受像機を支持装置に取り付けた際には支持脚部が取手部分として機能する。これにより、パソコン等に接続した受像機をパソコン本体から離して使用する際に、受像機を任意の位置に円滑に移動させることができる。また、同様の理由により入院患者がテレビ視聴をする際において、体への負担を極力抑えることができる。
さらには、受像機の表示画面を掴んで受像機を移動させることがなくなるため、表示画面の損傷を防止することができる。
【発明を実施するための最良の形態】
【００１２】
以下、本発明にかかる受像機の実施の形態について、図面に基づいて説明する。
図１は、本実施の形態における受像機の正面図である。図２は、本実施の形態における受像機の右側面図である。図３は本実施の形態における受像機の背面図である。
【００１３】
本実施の形態における受像機１０は、筐体１２と、筐体１２の正面側に配設された表示画面であるＬＣＤ１４と、筐体１２の正面部下方側の両脇部分に配設された音声出力手段であるスピーカ１６と、筐体１２の背面側に、基部２０ａを中心として上下方向に回動自在に取り付けられ、他端側には接地部１８が形成された支持脚部２０とにより構成されている。ＬＣＤ１４とスピーカ１６は図示しないパソコン等の外部機器に電気的に接続されている。
本実施の形態における受像機１０は、ＬＣＤモニタということになる（以下、ＬＣＤモニタ１０ということにする）が、パソコン等の外部機器の出力表示が可能であれば、ＬＣＤモニタ１０に限定されるものではなく、ＦＤＰ、ＦＥＤ等の他の表示手段であっても良いのはもちろんである。
【００１４】
支持脚部２０の基部２０ａは、筐体１２の背面側の中央の高さ位置より若干下方の高さ位置にヒンジＨにより接続されている。支持脚部２０の他端側は接地部１８が形成された自由端になっている。図２に示すように、支持脚部２０の基部２０ａを筐体１２の背面側下半部に沿わせて位置させた場合、接地部１８が形成された先端側が基部２０ａに対して筐体１２の背面から一端離れる方向に屈曲した後、筐体１２の下面側に接近する方向に屈曲する略Ｌ字状に形成されている。支持脚部２０は、図１、図２からも明らかなように、先端側である接地部１８が筐体１２の下端面より延出した状態になっている。
【００１５】
支持脚部２０の長さは、支持脚部２０を筐体１２の背面の上半部に沿って位置させた場合、筐体１２の上端部からはみ出さない程度の長さになっている。
また、図３に示すように、支持脚部２０の接地部１８の幅Ｗ１は、支持脚部２０の基部側の幅Ｗ２に比べ、幅広になるように形成されていて、接地部１８の中央部分には把持孔２２が形成されている。
さらに、図２の実線で示した状態（支持脚部２０を基部２０ａ側が筐体１２の背面側下半部に沿うように回動させた状態）でＬＣＤモニタ１０を上下反転させ、接地部１８が上方になるようにＬＣＤモニタ１０を吊り下げた状態においては、把持孔２２の中心がＬＣＤモニタ１０の重心Gを通る鉛直線上に位置している。
【００１６】
筐体１２の背面には、図示しないフレキシブルアームを接続するための取付用ネジ穴３０が適宜配設されている。また、筐体１２の下端面にはＬＥＤからなる照明手段３４が配設されている。
【００１７】
図４は、表示画面が斜め上向きとなるようにＬＣＤモニタを自立させた状態の一例を示す右側面図である。図５は、ＬＣＤモニタを載置面に寝かせ、表示画面が上向きになるようにした状態を示す側面図である。
支持脚部２０は、図２に示すように、筐体背面のヒンジＨに取り付けられた基部２０ａを中心として上下方向に回動自在に取り付けられているので、例えば、図４、図５のような状態でＬＣＤモニタ１０を使用することが可能である。
【００１８】
図４に示す状態においては、支持脚部２０が筐体１２の下半面側に位置している。したがって、略Ｌ字状に屈曲した支持脚部２０の先端に形成された接地部１８は、筐体１２を載置面に対して立てて使用する際において、安定した状態でＬＣＤモニタ１０を設置することができる。
一方、図５に示す状態においては、支持脚部２０の基部２０ａが筐体１２の上半面側に沿っている。支持脚部２０は基部２０ａから略L字状に屈曲する形状となっている。先端部に設けられた接地部１８は、筐体１２の背面側から離反する状態になる。つまり、ＬＣＤモニタ１０の表示部を上面に向けて使用する際には、筐体１２が接地部１８により載置面から持ち上げられる状態となり、ＬＣＤモニタ１０が載置面に対して若干傾斜した状態に支持される。これにより、ＬＣＤモニタ１０を載置面に寝かせた状態で使用する際において、表示画面１４の視認性が大幅に向上する。
【００１９】
本実施の形態において、支持脚部２０の基部２０ａを筐体１２に接続しているヒンジＨは、基部２０ａを中心として支持脚部２０を筐体１２の上下方向に回動させる際に必要なトルクが回動角度により異なるように設定されている。
具体的には、図２に示す状態から図４に示す状態までの回動角度の範囲においては、略無抵抗で支持脚部２０が回動可能となるように設定されていて、図４に示す状態から図５に示す状態までの回動角度の範囲においては、摩擦板と、摩擦板をヒンジＨ側に押圧する押圧手段（共に図示せず）による摩擦力からなる回転トルクが作用するように設定されている。なお、ヒンジＨの回転モーメントの大きさは、摩擦板の材質、形状、大きさ等により適宜設定することができるが、本実施の形態においては、ＬＣＤモニタ１０の自重による回転モーメントでは支持脚部２０が回動しない程度の回転トルクが得られるような設定になっている。
【００２０】
さらにヒンジＨには、支持脚部２０を筐体１２の背面側から離反する方向に付勢する付勢手段が設けられている。したがって支持脚部２０は、図２に示す状態から図４に示す状態における回動範囲において無負荷状態になると、図４に示す状態のようにＬＣＤモニタ１０を自立させ、表示画面１４が斜め上側を向く状態になる。
【００２１】
以上に説明したＬＣＤモニタ１０は、取付用ネジ穴３０にフレキシブルアームを接続した形態、ＬＣＤモニタ１０を自立させた形態、ＬＣＤモニタ１０を載置面に寝かせ、表示画面１４を上面に向けた形態のそれぞれの形態で用いることができる。それぞれの使用形態においてＬＣＤモニタ１０は、側面に形成された接続部３６と図示しない外部機器の接続部とを所要のケーブルにより電気的に接続される。
【００２２】
以下に、各々の使用形態における具体的な使用方法について説明する。図６は、ＬＣＤモニタにフレキシブルアームを取り付ける状態を示す説明側面図である。
図３、図６に示すように、フレキシブルアーム５０は、ＬＣＤモニタ１０の背面に設けられた取付用ネジ穴３０に取付用ネジ３８を取り付けることにより接続される。支持脚部２０は、ＬＣＤモニタ１０の背面側に当接させた状態で固定ネジ３９により筐体１４の背面側に固定する。このようにフレキシブルアーム５０に固定されたＬＣＤモニタ１０は、支持脚部２０の接地部１８に形成された把持孔２２を取手として用いることができる。
また、ＬＣＤモニタ１０とフレキシブルアーム５０との接続部分にヒンジやボール軸受け等の回転支持手段５０ａを配設すれば、フレキシブルアーム５０に対するＬＣＤモニタ１０の取り付け角度を任意の状態に設定することもできる。
【００２３】
フレキシブルアーム５０の支持部分は、壁面に固定する形態の他、接続アダプタを介することにより、机や棚に固定することができる。また、把持孔２２部分を取手として使用することができるので、ＬＣＤモニタ１０の表示部を持つことがなくなり、ＬＣＤモニタ１０の表示部を傷めることなく、円滑にＬＣＤモニタ１０を移動させることができる。
【００２４】
さらに、本発明にかかるＬＣＤモニタ１０は、モニタ支持装置に取り付けることなく自立させて用いることももちろん可能である。
また、図５に示すように、ＬＣＤモニタ１０の表示画面１４を上向きにして使用する際等においては、複雑な操作をすることなくＬＣＤモニタ１０の設置角度を任意の角度に設定することができる。一端ＬＣＤモニタ１０の設置角度を設定すれば、ヒンジの回転トルクがＬＣＤモニタ１０の自重による回転モーメントでは回動しないように設定されているので、設定した表示角度を維持させたまま使用することができる。
【００２５】
以上、受像機の実施の形態について説明してきたが、本発明にかかる受像機１０は以上の実施の形態に限定されるものではない。例えば、以上の実施の形態における支持脚部２０は、ヒンジＨに配設された付勢手段の付勢力により、筐体１２の背面側から離反する位置（図４における支持脚部２０の位置）を初期位置としている。このため、支持脚部２０を筐体１２の背面に沿わせた状態と初期位置の範囲（図２に示す支持脚部２０の位置から図４に示す支持脚部の位置の範囲）において受像機１０を自立させることができないという不具合がある。
そこで、図７に示すように、筐体１２の背面にストッパＳおよび所要間隔に係合片Ｋ、Ｋ・・・を配設すれば、支持脚部２０が固定されない回動範囲であっても、（Ａ）および（Ｂ）に示す状態のように、ストッパＳが係合片Ｋに係合し、支持脚部２０を固定することが可能になるため好適である。
また、ヒンジＨに付勢手段を配設せずに、ストッパＳと係合片Ｋとにより、支持脚部２０を所要角度で係止する形態とすることができるのはいうまでもない。
【産業上の利用可能性】
【００２６】
本発明にかかる受像機の付加的な使用方法を説明する。
筐体１２の下面側には照明手段３４が配設されているので、入院患者が消灯時間後に読書をする際において、手元まで照明を持ってくることができ、他人に迷惑をけることなく読書することが可能になる。
さらには、ＬＣＤモニタ１０の表示画面上の所定位置を押下すると、光学的手段により押下位置の座標を認識する座標認識手段４０および、座標認識手段４０により認識された座標に対応するコマンドを実行させるコマンド実行手段４２がＬＣＤモニタ１０または図示しない外部機器に配設することにより、ＬＣＤモニタ１０をタッチパネルとして使用することが可能になる。
【００２７】
このようにタッチパネル型のキーボードとしての使用が可能になれば、テレビやパソコンモニタのような単なる受像機ではなく、パソコン本体としての使用形態も可能になる。また、パソコン的な使用形態において病院内ネットワークに接続することにより、ベッドに居ながらにして売店の利用が可能になる他、電子カルテとしての利用形態や病院および入院患者のスケジュール等を表示させる形態も実現可能になり、患者への肉体的負担や精神的苦痛をさらに軽減することができる。
【図面の簡単な説明】
【００２８】
【図１】本実施の形態における受像機の正面図である。
【図２】本実施の形態における受像機の右側面図である。
【図３】本実施の形態における受像機の背面図である。
【図４】表示画面が斜め上向きとなるようにＬＣＤモニタを自立させた状態の一例を示す右側面図である。
【図５】ＬＣＤモニタを載置面に寝かせ、表示画面が上向きになるようにした状態を示す側面図である。
【図６】ＬＣＤモニタにフレキシブルアームを取り付けた状態を示す説明側面図である。
【図７】他の実施形態の一例を示す側面図である。
【符号の説明】
【００２９】
１０  ＬＣＤモニタ
１２  筐体
１８  接地部
２０  支持脚部
２０ａ  基部
２２  把持孔
３０  取付用ネジ穴
３４  照明手段
４０  座標認識手段
４２  コマンド実行手段
５０  フレキシブルアーム
Ｇ  ＬＣＤモニタ重心
Ｋ  係止片
Ｓ  ストッパ
【図１】
2005210149.tif 000003
【図２】
2005210149.tif 000004
【図３】
2005210149.tif 000005
【図４】
2005210149.tif 000006
【図５】
2005210149.tif 000007
【図６】
2005210149.tif 000008
【図７】
2005210149.tif 000009